(57)【要約】【課題】端末台数が増加するとそれぞれに受信手段や送信手段が必要になりガスメータの端末接続端子が増加してしまうということや、端末をバス配線により接続した場合に各端末のアドレスが異常になるとバスに接続されたガスメータや端末が正常に動作しなくなる。【解決手段】ガス流量を計測する流量計測手段９と、外部にある警報器７とバス接続されパケット通信により通信を行うデータ送受信手段４と、警報器７が異常検知により警報を発したことを前記データ送受信手段４で受信した場合にガス流量を遮断する遮断手段３と、警報器７から送信される電文から警報器７を特定するアドレスを検出する制御手段６を備え、制御手段６は、警報器７を特定するアドレスが自機を特定するアドレスと同一であれば遮断手段３によりガス流量を遮断することを可能にする。【選択図】図１
2010008184.tif 000002
【特許請求の範囲】
【請求項１】
ガス流量を計測する流量計測手段と、外部にある警報器とバス接続されパケット通信により通信を行うデータ送受信手段と、前記警報器が異常検知により警報を発したことを前記データ送受信手段で受信した場合にガス流量を遮断する遮断手段と、前記警報器から送信される電文から前記警報器を特定するアドレスを検出する制御手段を備え、前記制御手段は、前記警報器を特定するアドレスが自機を特定するアドレスと同一であれば前記遮断手段によりガス流量を遮断するガスメータ。
【請求項２】
データ送受信手段は、警報器及び端末装置と送受信可能であり、制御手段は、前記データ送受信手段と送受信を行う警報器または端末装置のアドレス数を規定以上検出すると、表示手段により表示を行う請求項１記載のガスメータ。
【請求項３】
表示手段が異常表示を行った場合に、通信線に接続された公衆通信回線と通信可能な端末装置を介して通報を行うように構成した請求項２記載のガスメータ。
【発明の詳細な説明】
【技術分野】
【０００１】
本発明はガスメータにバス配線で接続される端末機器の設置異常を検出すると共に、端末機器が警報器の場合にはガスメータの流路を遮断するよう構成したガスメータに関するものである。
【背景技術】
【０００２】
従来、ガスメータには各種端末はそれぞれがガスメータに設けられた専用の通信線で接続されるように構成されている（例えば、特許文献１参照）。
【０００３】
図７は、特許文献１に記載された従来のガスメータ装置を示すものである。図７に示すように、第１の受信手段３ａ、第２の受信手段３ｂや送信手段４を備え、端末装置である外部装置Ｘ７や外部装置Ｙ８に対してそれぞれ別の通信線で接続して通信するように構成されている。
【０００４】
また、ガスメータに端末機器として警報器が接続されることも知られている（例えば、特許文献２参照）。
【特許文献１】特開２００６−０１７５１１号公報
【特許文献２】特開２００１−１４１５９５号公報
【発明の開示】
【発明が解決しようとする課題】
【０００５】
しかしながら、前記従来の構成では、端末台数が増加するとそれぞれに受信手段や送信手段が必要になりガスメータの端末接続端子が増加してしまうということや、端末をバス配線により接続した場合に各端末のアドレスが異常になるとバスに接続されたガスメータや端末が正常に動作しなくなるという課題を有していた。
【０００６】
本発明は、前記従来の課題を解決するもので、ガスメータに端末装置とバス配線可能な通信機能を設けると共に、端末装置の接続の異常を検出した場合にはガスメータの遮断弁を動作させガス流路を遮断することによりシステムが安全に動作するガスメータを提供することを目的とする。
【課題を解決するための手段】
【０００７】
従来の課題を解決するために、本発明はガス流量を計測する流量計測手段と、外部にある警報機とバス接続されパケット通信により通信を行うデータ送受信手段と、前記警報機が異常検知により警報を発したことを前記データ送受信手段で受信した場合にガス流量を遮断する遮断手段と、前記警報機から送信される電文から前記警報機を特定するアドレスを検出する制御手段を備え、前記制御手段は、前記警報機を特定するアドレスが自機を特定するアドレスと同一であれば前記遮断手段によりガス流量を遮断することを特徴としたガスメータから構成したものである。
【発明の効果】
【０００８】
本発明のガスメータはガスメータに接続する端末装置がバス接続可能になるためガスメータの通信手段を簡略化することが可能になる他、端末装置の接続の異常を検知した場合にはガスメータを遮断することができるため施工性や安全性を向上させることが可能となる。
【発明を実施するための最良の形態】
【０００９】
第１の発明は、ガス流量を計測する流量計測手段と、外部にある警報機とバス接続されパケット通信により通信を行うデータ送受信手段と、前記警報機が異常検知により警報を発したことを前記データ送受信手段で受信した場合にガス流量を遮断する遮断手段と、前記警報機から送信される電文から前記警報機を特定するアドレスを検出する制御手段を備え、前記制御手段は、前記警報機を特定するアドレスが自機を特定するアドレスと同一であれば前記遮断手段によりガス流量を遮断するガスメータから構成されるものである。
【００１０】
これにより、ガスメータに接続する端末装置がバス接続可能になるためガスメータの通信手段を簡略化することが可能になる他、ガスメータや端末装置のアドレスが重複してシステムが正常に動作しない場合にはガスメータを遮断するためシステムの異常を放置してガスが使用されてしまうということが無くなるため、ガスメータの設置性や安全性を向上させることが可能となる。
【００１１】
第２の発明は、制御手段を通信線に接続される端末のアドレス数を規定以上検出すると表示手段により表示を行うように構成するものである。
【００１２】
これにより、ガスメータに所定以上の端末が接続され通信が不安定になるという端末装置の接続の異常を検知することが可能になるため、ガスメータの設置性を向上させることが可能となる。
【００１３】
第３の発明は、表示手段が異常表示を行った場合に、通信線に接続された公衆通信回線と通信可能な端末を介して通報を行うように構成するものである。
【００１４】
これにより、設置者が表示手段の異常表示を見落とした場合でも、通報により第３者が確認することが可能となりより一層の異常設置の検出が可能となる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態におけるガスメータシステムの要部ブロック図を示すものである。
【００１７】
図１において、１はガスメータでありガスの流量を計測するガス流量計測手段９、図示はしないがガスの流路に設けられガスの流れを遮断させる遮断手段３、バス接続可能な通信線２に接続され通信線２上のパケットからデータを送受信するデータ送受信手段４、通信線３に接続され同様にデータ送受信手段を備えた警報器７、端末装置８、少なくともガスメータ１や警報器７、端末装置８のアドレスの異常を表示する表示手段５とデータ送受信手段４や表示手段５の制御や、端末装置のアドレスを付与してパケットの生成などを行う制御手段６を備える。
【００１８】
制御手段６は、通信線２に接続される端末装置のアドレスが重複していることを検出するよう構成されている。また、通信に使用されるパケットは少なくとも各端末の識別するための自端末のアドレスや相手端末のアドレスを含んだ構成となっている。また、前記端末装置は警報器やガスメータの遮断弁の開閉を行うリモコンなどであり、警報器の異常検知により警報器が異常パケットを送信することによりガスメータがそのパケットを受信しガスメータの遮断手段を動作させガス流路を遮断するなどの動作を行うことができる。
【００１９】
図２には本発明のガスメータと端末装置のシステム構成図を示す。ガスメータ１にはガス供給口１ａ、ガス取り出し口１ｂや図示はしないが遮断手段に設けられているガス遮断
弁の復帰釦１ｃや表示部５が備えられている。
【００２０】
また、ガスメータ１には図示はしないが通信線２を接続する接続端子や、ガスメータ内部から直接通信線２が取り出される構成になっており、通信線２には端末装置７や端末装置８が接続される。この端末装置はバスやツリー上に接続され通信線２で規定される物理的条件やパケットのアドレスで規定される論理条件により接続される台数が規定される。
【００２１】
図３には本発明のガスメータに備えられた制御手段６の動作を説明する要部フローチャートを示す。制御手段６は定期的または任意のタイミングによりステップ２０からの処理を実行する。
【００２２】
ステップ２１では、通信線２に接続された端末装置に同報パケットによりアドレスの問い合わせを行う。ステップ２２では、端末装置からの応答を待ち、応答の受信があればステップ２５で受信したパケットのアドレスが既に受信した端末のアドレスと重複しているかを判断し、重複していなければステップ２６でアドレスを記憶し、ステップ２３で一定時間が経過するまで応答を監視する。
【００２３】
ステップ２５では、既に受信したアドレスを再度受信した場合にはステップ２７で遮断手段を動作させる。なお、本実施例以外にも各端末装置が自端末アドレスを受信することによりアドレス重複が発生した旨を同報パケットで送信することにより、ガスメータがその内容を受信し表示手段５に表示することも可能である。更に、ガスメータ以外の端末装置がアドレスの重複を検知し、その内容をガスメータ１に知らせることによりガスメータ１で表示することも可能となる。
【００２４】
以上により、ガスメータに接続する端末装置がバス接続可能になるためガスメータの通信手段を簡略化することが可能になる他、ガスメータや端末装置のアドレスが重複して設置されてしまいシステム動作が保証できない場合にはガスを遮断するためシステムの設置性や安全性を向上させることが可能となる。
【００２５】
（実施の形態２）
図４は、本発明の第２の実施の形態におけるガスメータに備えられた制御手段６の動作を説明する要部フローチャートを示す。制御手段６は定期的または任意のタイミングによりステップ３０からの処理を実行する。
【００２６】
ステップ３１では、通信線２に接続された端末装置に同報パケットによりアドレスの問い合わせを行う。ステップ３２では、端末装置からの応答を待ち、応答の受信があればステップ３５で受信したパケットにより端末の台数をカウントし、ステップ３６で端末の台数が所定の台数を超えていないか判断する。
【００２７】
ステップ３６において台数が超過していないと判断されれば、ステップ３３で一定時間が経過するまで応答を監視する。ステップ３６において端末台数が超過したと判断されれば、ステップ３７で表示手段５にその内容を表示するように動作する。
【００２８】
これにより、ガスメータに所定以上の端末が接続され通信が不安定になるという端末装置の接続の異常を検知することが可能になるため、ガスメータの設置性を向上させることが可能となる。
【００２９】
（実施の形態３）
図５は、本発明の第３の実施の形態におけるガスメータシステムの要部ブロック図を示すものである。
【００３０】
図５において、１はガスメータでありガスの流量を計測するガス流量計測手段９、図示はしないがガスの流路に設けられガスの流れを遮断させる遮断手段３、バス接続可能な通信線２に接続され通信線２上のパケットからデータを送受信するデータ送受信手段４、通信線３に接続され同様にデータ送受信手段を備えた警報器７、端末装置８、少なくともガスメータ１や警報器７、端末装置８のアドレスの異常を表示する表示手段５とデータ送受信手段４や表示手段５の制御や、端末装置のアドレスを付与してパケットの生成などを行う制御手段６を備える。
【００３１】
制御手段６は、通信線２に接続される端末装置のアドレスが重複していることを検出するよう構成されている。また、端末装置８は公衆回線１０に接続されており、ガスメータ１から端末装置８宛に公衆回線の先のセンター情報を含んだパケットが送信されると、端末装置８はその内容をセンターに通報するように動作するように構成されている。
【００３２】
図６には本発明のガスメータに備えられた制御手段６の動作を説明する要部フローチャートを示す。制御手段６は、定期的または任意のタイミングによりステップ４０からの処理を実行する。
【００３３】
ステップ４１では、アドレス重複の異常、ステップ４２で通信線２に接続された端末装置の台数が超過していないかを判断し、それぞれ該当する場合にはステップ４１により通報するかどうかの設定を確認し、通報の必要がある場合にはステップ４５で端末装置８宛に通報用のパケットを送信するように動作するよう構成されている。
【００３４】
これにより、設置者が表示手段の異常表示を見落とした場合でも、通報により第３者が確認することが可能となりより一層の異常設置の検出が可能となる。
【産業上の利用可能性】
【００３５】
以上のように、本発明にかかるガスメータは、端末装置をバス接続で接続が可能になるため、端末数が増加してもガスメータの接続端子を増加させることなく、また、バス接続に伴う端末装置の接続異常を検出した場合はガスメータを遮断させてシステムの安全性を確保することが可能なため、ガスメータに各種端末装置を含めた住宅の機器ネットワークシステムの用途にも適用できる。
【図面の簡単な説明】
【００３６】
【図１】本発明の実施の形態１におけるガスメータシステムの要部ブロック図
【図２】本発明の実施の形態１におけるガスメータと端末装置のシステム構成図
【図３】本発明の実施の形態１におけるガスメータの要部フローチャート
【図４】本発明の実施の形態２におけるガスメータの要部フローチャート
【図５】本発明の実施の形態３におけるガスメータシステムの要部ブロック図
【図６】本発明の実施の形態３におけるガスメータの要部フローチャート
【図７】従来のガスメータシステム図
【符号の説明】
【００３７】
１  ガスメータ
２  通信線
３  遮断手段
４  データ送受信手段
５  表示手段
６  制御手段
７  警報器
８  端末装置
９  ガス流量計測手段
１０  公衆回線
【図１】
2010008184.tif 000003
【図５】
2010008184.tif 000004
【図６】
2010008184.tif 000005
【図７】
2010008184.tif 000006
【図２】
2010008184.tif 000007
【図３】
2010008184.tif 000008
【図４】
2010008184.tif 000009